(57)【要約】  地域無線ネットワーク（ＷＲＡＮ）受信装置は、一定数のチャンネルのうちの１つのチャンネルを介して無線ネットワークと通信を行う送受信装置と、一定数のチャンネルのうちのＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）信号が検出されなかったチャンネルを含む利用可能チャンネル・リストを作成する際に使用されるＡＴＳＣ信号検出器とを備えている。ＡＴＳＣ信号検出器には、ＡＴＳＣ信号のＰＮ５１１のシーケンスに整合するように構成されており、一定数のチャンネルのうちの１つのチャンネル上の受信信号を濾波して、受信信号がＡＴＳＣ信号であるか否かを判定する際に使用される濾波済み信号を供給する整合フィルタが含まれている。ＡＴＳＣ信号検出器は、コヒーレントＡＴＳＣ信号検出器であっても、或いは、非コヒーレントＡＴＳＣ信号検出器であってもよい。
2009515423.tif 000002
【特許請求の範囲】
【請求項１】
一定数のチャンネルのうちの１つのチャンネルを介して無線ネットワークと通信を行う送受信装置と、
前記一定数のチャンネルのうちのＡＴＳＣ信号が検出されなかったチャンネルを含む利用可能チャンネル・リストを作成する際に使用されるＡＴＳＣ信号検出器と、
を備え、
前記ＡＴＳＣ信号検出器には、ＡＴＳＣ信号のＰＮ５１１のシーケンスに整合するように構成されており、前記一定数のチャンネルのうちの１つのチャンネル上の受信信号を濾波して、前記受信信号がＡＴＳＣ信号であるか否かを判定する際に使用される濾波済み信号を供給する整合フィルタが含まれている、前記装置。
【請求項２】
一定時間に亘って前記濾波済み信号を積分して、前記受信信号がＡＴＳＣ信号であるか否かを判定する際に使用される積分済み信号を供給する積分器を更に備えた、請求項１記載の装置。
【請求項３】
前記濾波済み信号のピークを検出するピーク検出器と、
一定時間に亘ってピーク位置を記憶するメモリと、
前記記憶されたピーク位置の割合が変わらない場合に前記受信信号がＡＴＳＣ信号であると判定するプロセッサと、
を更に備えた、請求項１記載の装置。
【請求項４】
前記ＡＴＳＣ信号検出器に接続されており、前記一定数のチャンネルのうちのＡＴＳＣ信号が検出されなかったチャンネルを含む利用可能チャンネル・リストを作成し、該利用可能チャンネル・リストを前記無線ネットワークに前記送受信装置を介して送信するプロセッサを更に備えた、請求項１記載の装置。  
【請求項５】
前記無線ネットワークが、地域無線ネットワーク（ＷＲＡＮ）である、請求項１記載の装置。
【請求項６】
前記ＡＴＳＣ信号検出器が、コヒーレントである、請求項１記載の装置。
【請求項７】
前記ＡＴＳＣ信号検出器が、非コヒーレントである、請求項１記載の装置。
【請求項８】
前記整合フィルタには、各々が前記受信信号と前記ＰＮ５１１のシーケンスのそれぞれ異なる部分との相関を取る一定数の相関器が含まれている、請求項１記載の装置。
【請求項９】
前記一定数の相関器のそれぞれの相関器出力信号の大きさを合成して、前記受信信号がＡＴＳＣ信号であるか否かを判定する際に使用される出力信号を供給する合成器を更に備えた、請求項８記載の装置。
【請求項１０】
前記ＡＴＳＣ信号検出器が、ＡＴＳＣ信号のＰＮ６３のシーケンスを更に使用して前記受信信号がＡＴＳＣ信号であるか否かを判定する、請求項１記載の装置。
【請求項１１】
無線ネットワーク受信装置に使用される方法であって、
一定数のチャンネルのうちの１つのチャンネルに同調して受信信号を再生する再生ステップと、
前記一定数のチャンネルのうちのＡＴＳＣ信号が検出されなかったチャンネルを含む利用可能チャンネル・リストを作成する際に使用されるＡＴＳＣ信号検出器で前記受信信号を処理する処理ステップと、
を備え、
前記処理ステップには、ＡＴＳＣ信号のＰＮ５１１のシーケンスに整合するように構成された整合フィルタで前記受信信号を濾波して、前記受信信号がＡＴＳＣ信号であるか否かを判定する際に使用される濾波済み信号を供給する濾波ステップが含まれている、前記方法。
【請求項１２】
前記処理ステップには、一定時間に亘って前記濾波済み信号を積分して、前記受信信号がＡＴＳＣ信号であるか否かを判定する際に使用される積分済み信号を供給するステップが更に含まれている、請求項１１記載の方法。
【請求項１３】
前記処理ステップには、
前記濾波済み信号のピークを検出するステップと、
一定時間に亘ってピーク位置を記憶するステップと、
前記記憶されたピーク位置の割合が変わらない場合に前記受信信号がＡＴＳＣ信号であると判定するステップと、
が更に含まれている、請求項１１記載の方法。
【請求項１４】
前記利用可能チャンネル・リストを送信するステップを更に備えた、請求項１１記載の方法。
【請求項１５】
前記無線ネットワーク受信装置が地域無線ネットワーク（ＷＲＡＮ）受信装置である、請求項１１記載の方法。
【請求項１６】
前記処理ステップには、
前記受信信号と前記ＰＮ５１１のシーケンスのそれぞれ異なる部分との相関を取り、それぞれの相関出力信号を供給するステップと、
前記それぞれの相関出力信号の大きさを合成して、前記受信信号がＡＴＳＣ信号であるか否かを判定する際に使用される出力信号を供給するステップと、
が更に含まれている、請求項１１記載の方法。
【請求項１７】
前記濾波ステップには、ＡＴＳＣ信号のＰＮ６３のシーケンスに整合するように構成されたフィルタで前記受信信号を濾波するステップが更に含まれている、請求項１１記載の方法。
【発明の詳細な説明】
【技術分野】
【０００１】
本発明は、概して、通信システムに関し、詳しくは、例えば地上波放送、移動体通信、ワイファイ（Ｗｉ−Ｆｉ：Ｗｉｒｅｌｅｓｓ―Ｆｉｄｅｌｉｔｙ）、衛星放送等の無線システムに関する。
【背景技術】
【０００２】
地域無線ネットワーク（ＷＲＡＮ：Ｗｉｒｅｌｅｓｓ  Ｒｅｇｉｏｎａｌ  Ａｒｅａ  Ｎｅｔｗｏｒｋ）システムが、ＩＥＥＥ８０２．２２規格グループで検討されている。ＷＲＡＮシステムは、田園地帯や僻地、及び、人口密度が低く市場価値の低い地域を主な対象地域として、テレビジョン・スペクトル内の未使用のテレビジョン（ＴＶ）放送チャンネルを干渉が生じないように利用して、都市部や都市部周辺地域に使用されるブロードバンド・アクセス技術の効率に準じた効率を実現する無線ネットワーク・システムである。また、ＷＲＡＮシステムは、規模を拡大して、スペクトルが利用可能な人口密度が比較的高い地域にも使用可能である。ＷＲＡＮシステムの１つの目標がＴＶ放送に干渉しないことである為、ＷＲＡＮが使用されている地域（ＷＲＡＮ地域）に存在する認可されたＴＶ信号を常に正確に検知することが重要である。
【０００３】
現在、米国に於いて、ＴＶスペクトルには、ＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）放送信号と共存するＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）放送信号が含まれている。このＡＴＳＣ放送信号は、デジタルＴＶ（ＤＴＶ）信号とも呼ばれている。現在の予定では、ＮＴＳＣ送信は２００９年に終了し、その時点でＴＶスペクトルにはＡＴＳＣ放送信号のみが含まれることになる。
【０００４】
上述のように、ＷＲＡＮシステムの１つの目標が個々のＷＲＡＮ地域に存在するＴＶ信号に干渉しないことである為、ＷＲＡＮシステムに於いてＡＴＳＣ放送を検出できることが重要である。ＡＴＳＣ信号を検出する既知の方法の１つは、ＡＴＳＣ信号の一部を形成する小さなパイロット信号を探すことである。そのような目的の検出器は、構造が簡単であり、ＡＴＳＣパイロット信号を抽出するための非常に狭い帯域幅のフィルタを有する位相固定ループを備えている。ＷＲＡＮシステムに於いて、この方式を使用すれば、ＡＴＳＣ検出器によりＡＴＳＣパイロット信号が抽出されたか否かを単純にチェックすることによって、放送チャンネルが現在使用されているか否かを簡単にチェックできる。しかし、残念ながら、この方式は、特に信号対雑音比（ＳＮＲ）が非常低い環境では、正確でない場合がある。実際、パイロット搬送波位置にスペクトル成分を有する帯域に干渉信号が存在すると、ＡＴＳＣ信号の誤検出が生じる場合がある。
【発明の開示】
【０００５】
(発明の概要)
信号対雑音比（ＳＮＲ）が非常に低い環境に於いてＡＴＳＣ放送信号を検出する精度を向上させるために、ＡＴＳＣ（ＤＴＶ）信号内に組み込まれたセグメント同期シンボルとフィールド同期シンボルとを利用して検出確度を向上させ、誤報知の確率を低減する。詳しくは、本発明の原理に従う装置は、一定数のチャンネルのうちの１つのチャンネルを介して無線ネットワークと通信を行う送受信装置と、一定数のチャンネルのうちのＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）信号が検出されなかったチャンネルを含む利用可能チャンネル・リストを作成する際に使用されるＡＴＳＣ信号検出器とを備えている。このＡＴＳＣ信号検出器には、ＡＴＳＣ信号のＰＮ５１１のシーケンスに整合するように構成されており、一定数のチャンネルのうちの１つのチャンネル上の受信信号を濾波して、受信信号がＡＴＳＣ信号であるか否かを判定する際に使用される濾波済み信号を供給する整合フィルタが含まれている。
【０００６】
本発明の一実施例では、受信装置は、地域無線ネットワーク（ＷＲＡＮ：Ｗｉｒｅｌｅｓｓ  Ｒｅｇｉｏｎａｌ  Ａｒｅａ  Ｎｅｔｗｏｒｋ）受信装置であり、ＡＴＳＣ信号検出器は、コヒーレントＡＴＳＣ信号検出器である。
【０００７】
本発明の別の一実施例では、受信装置は、地域無線ネットワーク（ＷＲＡＮ）受信装置であり、ＡＴＳＣ信号検出器は、非コヒーレントＡＴＳＣ信号検出器である。
【０００８】
上述の説明と後述の詳細な説明とから明らかであるが、本発明の原理の範囲内に於いて、その他の実施形態も可能であり、また、その他の機能も実現可能である。
【発明を実施するための最良の形態】
【０００９】
本発明の概念を除けば、各図に示された各素子は周知である為、その詳細な説明は省略する。また、テレビジョン放送、受信装置、及び、ビデオ符号化技術は精通されているものとし、その詳細な説明は省略する。例えば、本発明の概念を除けば、ＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）、ＰＡＬ（Ｐｈａｓｅ  Ａｌｔｅｒｎａｔｉｏｎ  Ｌｉｎｅｓ）、ＳＥＣＡＭ（ＳＥｑｕｅｎｔｉａｌ  Ｃｏｕｌｅｕｒ  Ａｖｅｃ  Ｍｅｍｏｉｒｅ）及びＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）のようなＴＶ規格についての最新の推奨事項等は、精通されているものとする。ＡＴＳＣ放送信号についての詳細は、ＡＴＳＣ規格の文献である「Ｄｉｇｉｔａｌ  Ｔｅｌｅｖｉｓｉｏｎ  Ｓｔａｎｄａｒｄ（Ａ／５３）改訂版Ｃ（訂正１及び正誤表１を含む）Ｄｏｃ．Ａ／５３Ｃ」と「Ｒｅｃｏｍｍｅｎｄｅｄ  Ｐｒａｃｔｉｃｅ：  Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ（Ａ／５４）」を参照されたい。更に、本発明の概念を除けば、８レベル残留側波帯（８−ＶＳＢ）、直交振幅変調（ＱＡＭ）、直交周波数分割多重（ＯＦＤＭ）或いは符号化ＯＦＤＭ（ＣＯＦＤＭ）のような送信概念について、更に、無線周波数（ＲＦ）フロントエンドのような受信装置構成部分について、或いは、低ノイズ・ブロック、チューナ、復調器、相関器、リーク積分器、平方器のような受信部については、精通されているものとする。同様に、本発明の概念を除けば、例えばＭＰＥＧ（Ｍｏｖｉｎｇ  Ｐｉｃｔｕｒｅ  Ｅｘｐｅｒｔ  Ｇｒｏｕｐ）−２システム規格（ＩＳＯ／ＩＥＣ１３８１８−１）のような送信ビット・ストリームを生成するためのフォーマット化方法及び符号化方法は周知であり、その説明は省略する。また、本発明の概念は、通常のプログラミング技術を用いて実施可能であるが、そのような通常のプログラミング技術の説明も省略する。尚、各図面に於いて同じ参照番号は、同じ素子を示している。
【００１０】
図１の表１には、当業者に周知の米国に於けるＴＶスペクトルとＶＨＦ帯域及びＵＨＦ帯域に於けるＴＶチャンネルのリストが示されている。ＴＶチャンネルの各々について、対応する割り当て周波数帯域の下端が示されている。例えば、ＴＶチャンネル２は５４ＭＨｚから始まり、ＴＶチャンネル３７は６０８ＭＨｚから始まり、ＴＶチャンネル６８は７９４ＭＨｚから始まる。当業者に周知のように、各ＴＶチャンネル、即ち、各帯域は、６ＭＨｚの帯域幅を占めている。従って、例えば、ＴＶチャンネル２は５４ＭＨｚから６０ＭＨｚまでの周波数スペクトル（周波数領域）をカバーし、ＴＶチャンネル３７は６０８ＭＨｚから６１４ＭＨｚの帯域をカバーし、ＴＶチャンネル６８は７９４ＭＨｚから８００ＭＨｚの帯域をカバーする。前述のように、ＷＲＡＮシステムは、ＴＶスペクトル内の未使用ＴＶ放送チャンネルを利用する。この点に関して、ＷＲＡＮシステムは、どのＴＶチャンネルがＷＲＡＮ地域に於いて現にアクティブ状態（使用されている状態）（即ち「既存の（ｉｎｃｕｍｂｅｎｔ：インカムベント）」）であるかを判定することによって、ＷＲＡＮシステムが実際に利用できるＴＶスペクトル部分を特定する「チャンネル検知」を行う。
【００１１】
図１に示されたＴＶスペクトルに加えて、個々のチャンネル内の個々のＡＴＳＣ（ＤＴＶ）信号も、同一チャンネル内に配置された、或いは、例えば直ぐ下側又は上側のチャンネル内に配置された隣接するＮＴＳＣ信号によって、又は、そのように隣接する他のＡＴＳＣ信号によってさえ、影響を受けることがある。これは、図２の表２に、様々な干渉状況によって影響を受けるＡＴＳＣパイロット信号について、例示されている。例えば、表２の第１行７１では、同一チャンネルに他のＡＴＳＣ信号又はＮＴＳＣ信号が無いか、或いは、隣接する他のＡＴＳＣ信号又はＮＴＳＣ信号による干渉が無い場合のＡＴＳＣパイロット信号の下端オフセットがＨｚ単位で示されている。これは、上述のＡＴＳＣ規格で規定されたＡＴＳＣパイロット信号に対応している。即ち、このパイロット信号は、その特定チャンネルの下端より上の３０９．４４０５５９ＫＨｚで発生する。（尚、上述のように、図１の表１では、各下端値が、各チャンネルについてＭＨｚ単位で示されている。）一方、表２の別の行７２では、同一チャンネルにＮＴＳＣ信号が存在する場合のＡＴＳＣパイロット信号の下端オフセットが示されている。このような状況では、ＡＴＳＣ受信装置は、下端より上の３３８．０６５ＫＨｚのＡＴＳＣパイロット信号を受信する。ＮＴＳＣ放送とＡＴＳＣ放送については、表２から、可能性のあるオフセットの総数は１４であることが判る。しかし、一旦ＮＴＳＣ送信が切れると、可能性のあるオフセットの総数は２に減少し、許容誤差は１０Ｈｚになる。これは、図３の表３に例示されている。
【００１２】
如何なるチャンネル検知も正確であることが重要であることから、受信装置に於けるタイミング基準又は搬送波周波数基準のどちらかの精度を増すことによって、信号検出手段、即ち、チャンネル検知手段の精度が、それらの手段がコヒーレントであるか非コヒーレントであるかに関係なく、向上することを確認した。とりわけ、受信装置は、一定数のチャンネルのうちの１つのチャンネルに同調するチューナと、これに接続されており、放送信号が上記一定数のチャンネルのうちの少なくとも１つのチャンネルに存在するか否かを判定する放送信号検出器とを備えており、該チューナは、受信放送信号の関数として較正される。以下、本発明の一実施例を、既存のＡＴＳＣチャンネルを基準として使用する場合について、説明する。
【００１３】
図４には、本発明の原理を組み込んだ地域無線ネットワーク（ＷＲＡＮ）システム２００が例示されている。このＷＲＡＮシステム２００は、所定の地域（ＷＲＡＮ地域）（図示せず）に使用されている。一般に、ＷＲＡＮシステムは、１つ又は複数の宅内機器（ＣＰＥ）２５０と通信を行う少なくとも１つの基地局（ＢＳ）２０５を備えている。ＣＰＥ２５０は、固定型でも携帯型でもよい。ＣＰＥ２５０は、プロセッサ搭載システムであり、１つ又は複数のプロセッサとこれに対応するメモリとを備えている。これらのプロセッサとメモリは、図４に於いて、破線の四角形で示されたプロセッサ２９０とメモリ２９５によって代表されている。この場合、プロセッサ２９０による実行処理用のコンピュータ・プログラム、即ち、ソフトウェアが、メモリ２９５に記憶されている。プロセッサ２９０は、１つ又は複数の記憶プログラム制御プロセッサを代表しており、送信機能専用である必要はなく、例えば、ＣＰＥ２５０のその他の各機能も制御するように構成できる。メモリ２９５は、例えばランダム・アクセス・メモリ（ＲＡＭ）、リード・オンリー・メモリ（ＲＯＭ）等の任意の記憶装置を代表しており、ＣＰＥ２５０に対して内蔵及び／又は外付けされたものでもよく、必要に応じて、揮発性及び／又は不揮発性である。ＢＳ２０５とＣＰＥ２５０との間の、それぞれのアンテナ２１０と２５５を介した、通信の物理層は、送受信装置２８５を介した例えばＯＦＤＭに基づくものであり、矢印２１１によって表されている。ＣＰＥ２５０が、ＷＲＡＮネットワークに入るには、先ず、ＢＳ２０５と「連携（ａｓｓｏｃｉａｔｅ）」する。この連携の期間中に、ＣＰＥ２５０は、送受信装置２８５を介し、制御チャンネル（図示せず）を通じて自己の性能についての情報をＢＳ２０５に送信する。この通知された性能には、例えば、最小・最大送信電力と送受信用の利用可能チャンネル・リストとが含まれている。この点に関して、ＣＰＥ２５０は、本発明の原理に従って、「チャンネル検知」を行って、ＷＲＡＮ地域に於いて、どのＴＶチャンネルが現在アクティブでないか（使用されていないか）を判定する。この結果得られたＷＲＡＮ通信用の利用可能チャンネル・リストは、ＢＳ２０５に提供される。
【００１４】
図５には、ＣＰＥ２５０内で使用される受信装置３００の一部が例示されている。この受信装置３００については、本発明の概念に関係する部分のみが図示されている。受信装置３００は、チューナ３０５、搬送波トラッキング・ループ（ＣＴＬ）３１５、ＡＴＳＣ信号検出器３２０及び制御器３２５を備えている。制御器３２５は、１つ又は複数の記憶プログラム制御プロセッサを代表しており、例えば、プロセッサ２９０のようなマイクロプロセッサを代表しており、本発明の概念専用である必要はなく、受信装置３００のその他の機能も制御する構成にしてもよい。更に、受信装置３００は、例えば、ランダム・アクセス・メモリ（ＲＡＭ）、リード・オンリー・メモリ（ＲＯＭ）等のメモリ２９５のようなメモリを備えており、このメモリは、制御器３２５の一部でも、或いは、制御器３２５とは別個のものであってもよい。説明を簡潔にする為、図５では、例えば、自動利得制御（ＡＧＣ）素子、デジタル領域処理が行われる場合はアナログ・デジタル変換器（ＡＤＣ）及び更なる濾波手段のような一部の構成素子は、示していない。本発明の概念を除けば、これらの構成素子は、当業者にとって、容易に且つ直ぐに分かるものである。ここに説明する各実施形態は、アナログ領域でもデジタル領域でも実施できる。更に、当業者であれば、処理行程の一部には、必要に応じて、複素信号経路を要する場合もあることが分かるであろう。
【００１５】
本発明の概念を説明する前に、受信装置３００の動作を概略的に説明することにする。例えば図４のアンテナ２５５を介して受信された入力信号３０４が、チューナ３０５に供給される。この入力信号３０４は、上述の「ＡＴＳＣ  Ｄｉｇｉｔａｌ  Ｔｅｌｅｉｖｉｓｉｏｎ  Ｓｔａｎｄａｒｄ（ＡＴＳＣデジタル・テレビジョン規格）」に従うデジタルＶＳＢ変調信号であり、図１の表１に示された各チャンネルのうちの１つのチャンネルで送信されたものである。チューナ３０５は、双方向信号経路３２６を介して制御器３２５によって制御されて、様々なチャンネルに同調して、個々のＴＶチャンネルを選択し、中心が一定のＩＦ（中間周波数）に置かれたダウンコンバート（逓降）済み信号３０６を出力する。この信号３０６は、ＣＴＬ３１５に供給される。ＣＴＬ３１５は、信号３０６を処理して、例えば送信機の局部発振器（ＬＯ）と受信装置の局部発振器との間の周波数オフセットを除去し、更に、受信ＡＴＳＣ・ＶＳＢ信号を復調して中間周波数（ＩＦ）からベースバンド周波数にし、或いは、ベースバンド周波数に近いものにする。（この点に関しては、例えば、１９９５年１０月４日付けＵｎｉｔｅｄ  Ｓｔａｔｅｓ  Ａｄｖａｎｃｅｄ  Ｔｅｌｅｖｉｓｉｏｎ  Ｓｙｓｔｅｍｓ  Ｃｏｍｍｉｔｔｅｅ発行の「Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ」、Ｄｏｃｕｍｅｎｔ  Ａ／５４と、２００１年５月１５日付けでＷａｎｇ氏に付与され、発明の名称が「Ｓｅｇｍｅｎｔ  Ｓｙｎｃ  Ｒｅｃｏｖｅｒｙ  Ｎｅｔｗｏｒｋ  ｆｏｒ  ａｎ  ＨＤＴＶ  Ｒｅｃｅｉｖｅｒ」である米国特許第６２３３２９５号を参照されたい）。ＣＴＬ３１５は、信号３１６をＡＴＳＣ信号検出器３２０に供給する。ＡＴＳＣ信号検出器３２０は、後述のように信号３１６を処理して、信号３１６がＡＴＳＣ信号であるか否かを判定する。ＡＴＳＣ信号検出器３２０は、その判定結果の情報を、経路３２１を介して、制御器３２５に供給する。
【００１６】
図６には、受信装置３００に於いて使用されるフローチャートが例示されている。特に、使用可能な信号を復調するのに要する信号レベルに満たない信号レベルでＶＨＦ及びＵＨＦのＴＶ帯域内にＡＴＳＣ（ＤＴＶ）信号が存在することを検知する精度は、正確な搬送波及びタイミングのオフセットの情報を得ることによって、向上する。この例では、各ＤＴＶチャンネル自体の安定性と既知周波数割り当てとを用いて、この情報を提供する。上述の「Ｒｅｃｏｍｍｅｎｄｅｄ  Ｐｒａｃｔｉｃｅ：  Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ（Ａ／５４）」に明記されているように、搬送波周波数は、少なくとも１ＫＨｚ以内であることが規定されており、良好な結果を得るためには、許容誤差をより小さくすることが推奨されている。この点に関して、ステップ２６０に於いて、制御器３２５は、先ず、例えば図１の表１に例示された既知の各ＴＶチャンネルを走査して、現存する容易に識別可能なＡＴＳＣ信号を探す。詳しくは、制御器３２５は、チューナ３０５に対して、上記ＴＶチャンネルの各々を選択するように制御する。その結果得られた各信号（若し有れば）は、ＡＴＳＣ信号検出器３２０によって（後述のように）処理され、経路３２１を介して制御器３２５に供給される。好ましい実施形態では、制御器３２５は、ＷＲＡＮ地域に於いて現在放送されている最も強いＡＴＳＣ信号を探す。しかし、制御器３２５は、最初に検出されたＡＴＳＣ信号で停止してもよい。
【００１７】
図７には、チューナ３０５のブロック図が例示されている。チューナ３０５には、増幅器３５５、乗算器３６０、フィルタ３６５、ｎ分周素子３７０、電圧制御発振器（ＶＣＯ）３８５、位相検出器３７５、ループ・フィルタ３９０、ｍ分周素子３８０、及び、局部発振器（ＬＯ）３９５が含まれている。本発明の概念を除けば、チューナ３０５の各構成素子は、周知であり、従って、その説明は省略する。一般に、ＬＯ３９５及びＶＣＯ３８５によって提供される各信号相互間には、次の関係が成り立つ。
【数１】
2009515423.tif 000003
ここで、ＦｒｅｆはＬＯ３９５によって提供される基準周波数、ＦＶＣＯはＶＣＯ３８５によって提供される周波数、ｎはｎ分周素子３７０によって表される除数の値、及び、ｍはｍ分周素子３８０によって表される除数の値である。等式（１）は、次のように書き換え出来る。
【数２】
2009515423.tif 000004
等式（２）から、ＦＶＣＯは、経路３２６を介して制御器３２５によって設定されるｎの適切な値によって様々なＡＴＳＣ（ＤＴＶ）帯域に設定できること（図６のステップ２６０）が確認できる。しかし、上述のように、受信装置３００にはＣＴＬ３１５が含まれており、このＣＴＬ３１５は、如何なる周波数オフセットＦｏｆｆｓｅｔも除去する。周波数オフセットには、２つの重要なものがある。１つは、ＬＯ３９５の周波数基準と送信機の周波数基準との間の周波数差によって生じる誤差である。もう１つは、Ｆｓｔｅｐに使用される値によって生じる誤差である。これは、ＬＯ３９５によって提供される実際の周波数Ｆｒｅｆが局部発振器の所定許容誤差の範囲内での近似値に過ぎない為である。従って、周波数オフセットＦｏｆｆｓｅｔには、ｎＦｓｔｅｐの値から選択チャンネルまでの誤差と、局部周波数基準及び送信機周波数基準に於ける周波数差によって生じる誤差とが含まれる。
【００１８】
図８には、ＣＴＬ３１５のブロック図が例示されている。ＣＴＬ３１５には、乗算器４０５、位相検出器４１０、ループ・フィルタ４１５、数値制御発振器（ＮＣＯ）４２０、及び、正弦／余弦表４２５が含まれている。本発明の概念を除けば、ＣＴＬ３１５の各構成素子は、周知であり、従って、その説明は省略する。ＮＣＯ４２０は、当業者に周知のように、Ｆｏｆｆｓｅｔを特定し、これらの周波数オフセットは、正弦／余弦表４２５及び乗算器４０５によって、受信信号から除去される。
【００１９】
図６のステップ２７０に於いて、現存するＡＴＳＣ信号が見つかると、制御器３２５は、検出されたＡＴＳＣ信号から少なくとも１つの関連周波数（タイミング）特性を特定することによって、受信装置３００を較正する。詳しく説明すると、先ず、図５の受信装置３００の動作の概要は、次の等式で表すことが出来る。
【数３】
2009515423.tif 000005
ここで、Ｆｃは、検出されたＡＴＳＣ信号のパイロット信号の周波数を表している。等式（３）に於けるＦｏｆｆｓｅｔの値に関して、制御器３２５は、双方向経路３２７を介してＮＣＯ４２０内の対応データに単純にアクセスすることによって、この値を特定する。しかし、ｎの値は、選択されたＡＴＳＣチャンネルについて、制御器３２５によって既に特定されている一方、Ｆｓｔｅｐの実際の値は、判っていない。しかし、等式（３）は、次のように、書き換えることが出来る。
【数４】
2009515423.tif 000006
この解決法は単純明快のように見えるが、Ｆｃの値は、図１の表１によって示唆されているように一義的に特定されるものではない。即ち、検出されたＡＴＳＣ（ＤＴＶ）信号は、図２の表２及び図３の表３に示されるようにその他のＮＴＳＣ信号またはＡＴＳＣ信号によって影響を受ける場合もある。ＷＲＡＮ地域に於いてＮＴＳＣ送信及びＡＴＳＣ送信が行われている場合、図２の表２に示されているように、１４の起こり得るオフセットを考慮する必要がある。しかし、ＷＲＡＮ地域に於いてＮＴＳＣ送信が行われていない場合、図３の表３に示されているように、考慮する必要があるオフセットは２つだけである。この例では、説明を簡潔にする為に、ＮＴＳＣ送信は行われていないと仮定して、表３のみを使用する。
【００２０】
従って、制御器３２５は、例えば前述のメモリに記憶されている表１と表３から各値を使用して、２つの演算を行い、Ｆｓｔｅｐについて相異なる値を特定する。
【数５】
2009515423.tif 000007
【数６】
2009515423.tif 000008
ここで、Ｆｃ（１）は選択されたＡＴＳＣチャンネルについての表１の下帯域端と表３の第１行目の下帯域端オフセットとの和を表し、Ｆｃ（２）は選択されたＡＴＳＣチャンネルについての表１の下帯域端と表３の第２行目の下帯域端オフセットとの和を表している。この結果、制御器３２５は、受信装置３００内で使用するＦｓｔｅｐについての２つの取り得る値を特定する。このようにして、ステップ２７０に於いて、制御器３２５は、受信装置３００を較正する際に使用する同調パラメータを特定する。
【００２１】
最後に、ステップ２７５に於いて、制御器３２５は、ＴＶスペクトルを走査して、利用可能チャンネルのリストを確定する。このリストは、現在使用されていない１つ又は複数のＴＶチャンネルを含み、従って、ＷＲＡＮ通信をサポートするのに有効である。制御器３２５によって選択されるチャンネル（例えば表１に一覧表示されたチャンネル）の各々については、等式（３）、（４）、（４ａ）及び（４ｂ）についての説明事項が適合する。言い換えれば、選択されたチャンネルの各々について、表３に示された各オフセットを考慮に入れる必要がある。表３に示される２つのオフセットとステップ２７０に於いて特定されるＦｓｔｅｐについての２つの取り得る値とがある為、４つの走査が行われる。（仮に表２に一覧表示された各オフセットが使用された場合、１４２の走査、即ち、１９６の走査が行われることになる。）例えば、第１走査に於いて、制御器３２５は、経路３２６を介して、チューナ３０５を、ＡＴＳＣチャンネルの各々について、様々なｎの値に設定する。制御器３２５は、ｎについて等式（３）を解くことによって、ｎの値を特定する。
【数７】
2009515423.tif 000009
ここで、Ｆｓｔｅｐの値は、Ｆｓｔｅｐ（１）について特定された値に等しく、Ｆｃの値は、選択されたＡＴＳＣチャンネルについての表１の下帯域端と表３の第１行目の下帯域端オフセットとの和に等しい。しかし、第２走査については、Ｆｓｔｅｐの値が、依然として、Ｆｓｔｅｐ（１）について特定された値に等しい一方、Ｆｃの値は、選択されたＡＴＳＣチャンネルについての表１の下帯域端と表３の第２行目の下帯域端オフセットとの和に等しくなる。第３及び第４走査も、Ｆｓｔｅｐの値がＦｓｔｅｐ（２）について特定された値に等しく設定される以外は、同様である。これらの走査の各々の期間中、チューナ３０５が同調して選択チャンネルを供給すると、ＡＴＳＣ信号検出器３２０は、受信信号を処理して、現在選択されているチャンネル上にＡＴＳＣ信号が存在するか否かを判定する。ＡＴＳＣ信号の存在に関するデータ即ち情報は、経路３２１を介して制御器３２５に供給される。制御器３２５は、この情報から利用可能チャンネル・リストを作成する。このようにして、ＤＴＶチャンネルの安定性と既知周波数割り当てとを用いて受信装置３００の較正を行い、これにより、低ＳＮＲのＡＴＳＣ（ＤＴＶ）信号の検出精度を向上させる。従って、ステップ２７５に於いて、受信装置３００は、このステップ２７０に於いて特定された周波数情報（Ｆｓｔｅｐの様々な値とＦｏｆｆｓｅｔ）が正確であるが故に、ＳＮＲが非常に低い環境に於いても存在する可能性のあるＡＴＳＣ信号を走査して探すことが出来る。目標感度は、−１１６ｄＢｍ（１ミリワットの電力レベルに対するデシベル）の信号強度でＡＴＳＣ信号を検出することである。この信号強度は、視認性の閾値（ＴｏＶ）よりも３０ｄＢ（デシベル）以上低い値である。尚、局部発振器のドリフト特性に従って、定期的に再較正を行うことが必要な場合もある。また、上述の方法に更なるバリエーションを加えることも可能である。例えば、ステップ２６０に於いて検出されたＡＴＳＣ信号は、ステップ２７５に於いて行われる各走査から除外できる。更に、如何なる再較正も、ステップ２６０を再度行う必要なく、ステップ２６０で特定されたＡＴＳＣ信号に同調することによって、即座に行うことが出来る。また、ステップ２７５に於いて一旦ＡＴＳＣ信号が検出されると、対応する帯域を次の各走査から除外できる。
【００２２】
上述のように、受信装置３００には、ＡＴＳＣ信号検出器３２０が含まれている。本発明の原理に従えば、ＡＴＳＣ信号検出器３２０は、ＡＴＳＣ（ＤＴＶ）信号のフォーマットを利用する。ＤＴＶデータは、８−ＶＳＢ（残留側波帯）を用いて変調される。詳しくは、低ＳＮＲ環境に於いて動作する受信装置の場合、その受信装置は、ＡＴＳＣ（ＤＴＶ）信号内に埋め込まれたセグメント同期シンボルとフィールド同期シンボルを利用して、ＡＴＳＣ（ＤＴＶ）信号の存在を正確に検出する確率（検出精度）を向上させて、誤報知の確率を低減する。ＡＴＳＣ（ＤＴＶ）信号に於いて、８レベルのデジタル・データ・ストリームのほかに、２レベル（バイナリ）４シンボル・データ・セグメント同期が各々のデータ・セグメントの始めに挿入されている。図９には、ＡＴＳＣデータ・セグメントが示されている。このＡＴＳＣデータ・セグメントは、８３２シンボル、即ち、データ・セグメント同期用の４シンボルと８２８データ・シンボルとで構成されている。図９から分かるように、データ・セグメント同期パターンは、バイナリの１００１のパターンである。多数のデータ・セグメント（３１３セグメント）が１ＡＴＳＣデータ・フィールドを構成し、１ＡＴＳＣデータ・フィールドは、総計２６０４１６個（８３２×３１３個）のシンボルを含んでいる。各々のデータ・フィールドの最初のデータ・セグメントは、フィールド同期セグメントと呼ばれる。図１０に、このフィールド同期セグメントの構成が示されている。図１０では、各々のシンボルは、１ビットのデータ（２レベル）を表している。フィールド同期セグメント内に於いて、５１１ビットの擬似ランダム・シーケンス（ＰＮ５１１）がデータ・セグメント同期の直後に続いている。このＰＮ５１１のシーケンスの後には、各々が６３ビットの３つの同一擬似ランダム・シーケンス（ＰＮ６３）が連結されており、２番目のＰＮ６３のシーケンスは、１つおきのデータ・フィールドで反転される。
【００２３】
図１１には、本発明の原理に従うＡＴＳＣ信号検出器３２０の一実施形態が示されている。この実施形態では、ＡＴＳＣ信号検出器３２０には、上記ＰＮ５１１のシーケンスに整合して該ＰＮ５１１のシーケンスの存在を確認するための整合フィルタ５０５が含まれている。図１２には、別の実施形態が示されている。この図に於いて、整合フィルタの出力が複数回に亘り蓄積されて、著しいピークが存在するか否かが判定される。これにより、検出精度が向上し、誤報知の確率が低下する。図１２の実施形態の欠点は、大容量のメモリが必要になることである。図１３には、更に別の実施形態が示されている。この実施形態に於いて、ピーク値が検出され（５２０）、更に１データ・フィールド内のその位置が検出される（５１０、５１５）。尚、リセット信号がアドレス・カウンタをインクリメントして（即ち、「アドレスをバンプ（ｂｕｍｐ）して」）、その結果がＲＡＭ５２５の相異なる位置に記憶される。従って、その結果は、複数のデータ・フィールドについて、ＲＡＭ５２５に記憶される。各ピーク位置が、上記複数のデータ・フィールドのうちの一定の割合で、同じである場合、ＤＴＶ信号がＤＴＶチャンネルに存在すると判定される。
【００２４】
ＡＴＳＣ（ＤＴＶ）信号の存在を検出する別の方法では、データ・セグメント同期が利用される。データ・セグメント同期は、データ・セグメント毎に繰り返して現れるので、通常、タイミング・リカバリ（タイミング回復）に使用されている。（このタイミング・リカバリの方法は、前述の「Ｒｅｃｏｍｍｅｎｄｅｄ  Ｐｒａｃｔｉｃｅ：  Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ（Ａ／５４）」に概説されている。）しかし、このデータ・セグメント同期を利用して、タイミング・リカバリ回路によりＤＴＶ信号の存在を検出することも出来る。若しタイミング・リカバリ回路によってタイミング・ロックが示されると、それは、ＤＴＶ信号の存在を高確度で保証することになる。この方法は、たとえ最初の自装置シンボル・クロックが送信機シンボル・クロックに近接していなくても、クロック・オフセットがタイミング・リカバリ回路の引き込み範囲内である限り、有効に機能する。しかし、有用な範囲は０ｄＢのＳＮＲにまで下げられているので、上述の−１１６ｄＢｍの検出目標に到達するには、更に１５ｄＢ向上する必要がある。
【００２５】
ＡＴＳＣ信号の検出に使用できる更に別の方法では、使用されているタイミング・リカバリ機構とは無関係にセグメント同期が処理される。これは、図１４に例示されている。図１４には、漏洩積分器（ｌｅａｋｙ  ｉｎｔｅｇｒａｔｏｒ）（図示の符号αは既定の定数を表している）を含む無限インパルス応答（ＩＩＲ）フィルタ５５０を用いたコヒーレント・セグメント同期検出器が示されている。ＩＩＲフィルタを使用することによって、１セグメントの繰り返し期間で生じる情報を強調することによって、検出対象のタイミング・ピークを作成する。これは、搬送波オフセット及びタイミング・オフセットが小さいことを前提とする。
【００２６】
ＡＴＳＣ信号を検出するための上述のコヒーレントの方法以外に、非コヒーレントの方法も使用できる。即ち、パイロット搬送波を使用するベースバンドへのダウンコンバートは必要ない。これは、パイロットの正確な抽出が低ＳＮＲ環境では不確実になり得るが故に、有利である。図１５には、非コヒーレント・セグメント同期検出器が例示され、また、遅延線構成が例示されている。入力信号が、それ自身の遅延・共役（ｃｏｎｊｕｇａｔｅ）処理されたもの（５７０、５７５）で乗算される。その結果は、データ・セグメント同期に整合するためのフィルタ（データ・セグメント同期整合フィルタ５８０）に供給される。共役処理によって、如何なる搬送波オフセットも整合フィルタ後の振幅に影響を及ぼすことがなくなる。別の方法として、積分ダンプ（Ｉｎｔｅｇｒａｔｅ−ａｎｄ−Ｄｕｍｐ）方法を用いることも可能である。同期整合フィルタ５８０の後に、信号の大きさ（５８５）が利用される。具体的には、その大きさの平方がＩ２＋Ｑ２として利用される（ここで、Ｉ及びＱは、それぞれ、整合フィルタの出力信号の同相成分及び直交成分である）。この大きさの値（５８６）を直接検査して、ＤＴＶ信号の存在を示す顕著なピークが存在するか否かを判定できる。或いは、図１５に示されているように、信号５８６をＩＩＲフィルタ５５０で処理して更に精錬することによって、複数のセグメントに亘る推定処理の精度を向上させることが出来る。図１６には、更に別の実施形態が示されている。この実施形態では、積分処理（５８０）がコヒーレントに（即ち、位相情報を維持して）行われ、その後、信号の大きさ（５８５）が利用される。
【００２７】
ベースバンドで動作する前述の各実施形態と同様に、その他の非コヒーレントの実施形態でも、フィールド同期内のＰＮ５１１の長いシーケンスを利用できる。しかし、周波数オフセットに対処するには、若干の修正を加える必要がある場合もある。例えば、ＡＴＳＣ信号のインジケータ（標識）としてＰＮ５１１のシーケンスを利用しようとする場合、その存在を検出する為に、数個の相関器を同時に使用することもある。周波数オフセットを、搬送波がＰＮ５１１のシーケンス期間に於いて完全な１サイクル、即ち、１ローテーションを経たものであると仮定すると、その場合、入力信号と基準のＰＮ５１１のシーケンスとの間で整合相関器出力は、総和が零になる。しかし、ＰＮ５１１のシーケンスをＮ個の部分に分解すると、各部分のエネルギは測定可能である。これは、搬送波が各部分の期間中に１／Ｎサイクルだけしか回転しないからである。従って、非コヒーレント相関器方法は、図１７に示されているように、長いシーケンスを、それより短いシーケンスに分解して、非コヒーレント相関器で各サブシーケンスを処理することによって、有効に使用できる。図１７に於いて、相関を取るべきシーケンスは、図示の０からＮ−１の番号が付されているＮ個のサブシーケンスに分解される。入力データは、各相関器出力が合成されて（５９０）利用可能な非コヒーレントの合成出力が生成されるように、遅延される。
【００２８】
図１８には、本発明の原理に従うＡＴＳＣ信号検出器の更に別の実施形態が例示されている。ＡＴＳＣ信号検出器の複雑さを軽減する為に、図１８のＡＴＳＣ信号検出器は、ＰＮ６３のシーケンスに整合する整合フィルタ（７１０）を使用している。整合フィルタ（７１０）の出力信号は、遅延線７１５に供給される。図１８の実施形態に於いては、コヒーレントの合成方法が使用される。中央のＰＮ６３が１つおきのデータ・フィールド同期で反転される為、２つのデータ・フィールド同期の場合に対応する２つの出力ｙ１及びｙ２が、加算器７２０及び７２５を介して生成される。図１８に示されているように、出力ｙ１用の処理経路には、加算器７２０での合成の前に、中央のＰＮ６３を反転する乗算器が含まれている。尚、図１８の実施形態では、ピーク検出が行われる。ｙ１及びｙ２のどちらかに顕著なピークが現れた場合、ＡＴＳＣ（ＤＴＶ）信号が存在すると見なされる。
【００２９】
図１９には、ＰＮ６３のシーケンスに整合するＡＴＳＣ信号検出器の更に別の実施形態が例示されている。この実施形態は、図１８のそれと類似しているが、整合フィルタ７１０の出力信号が、先ず、信号の大きさの平方を算出する素子７３０に供給される点で異なる。これは、非コヒーレントの合成方法の一例である。図１８の実施形態と同様に、図１９のそれは、ピーク検出を行う。加算器７３５が遅延線７１５の様々な要素を合成して出力信号ｙ３を生成する。ｙ３に顕著なピークが現れた場合、ＡＴＳＣ（ＤＴＶ）信号が存在すると見される。尚、搬送波オフセットが比較的大きい時は、図１９の非コヒーレントの合成方法がコヒーレントの合成方法よりも適している場合がある。また、素子７３０は、信号の大きさを簡単に特定できる。
【００３０】
図２０及び２１には、更に別の実施形態が例示されている。これらの実施形態では、ＰＮ５１１及びＰＮ６３のシーケンスを共に使用してＡＴＳＣ信号の検出を行う。先ず、図２０の実施形態では、信号ｙ１及びｙ２が、図１８の実施形態について述べたように、ＰＮ６３のシーケンスの検出について生成される。更に、ＰＮ５１１のシーケンスに整合した整合フィルタ５０５の出力が遅延線７７０に供給され、この遅延線７７０は、３つのＰＮ６３のシーケンスの期間に亘りデータを保持する。図２０の実施形態は、ピーク検出を行う。それぞれ加算器７６０及び７６５を介して供給されるｚ１及びｚ２のどちらかに顕著なピークが現れた場合、ＡＴＳＣ（ＤＴＶ）信号が存在すると見される。
【００３１】
次に、図２１の実施形態に於いても、図１９に示されたようなＰＮ６３のシーケンスの検出とＰＮ５１１のシーケンスの検出とが組み合わされている。この実施形態では、整合フィルタ５０５の出力信号は、先ず、素子７８０に供給され、この素子７８０は、信号の大きさの平方を算出する。これは、別の非コヒーレントの合成方法の一例である。図２０の実施形態と同様に、図２１の実施形態は、ピーク検出を行う。加算器７８５が、遅延線７７０の様々な要素と出力信号ｙ３とを合成して、出力信号ｚ３を供給する。ｚ３に顕著なピークが現れた場合、ＡＴＳＣ（ＤＴＶ）信号が存在すると見される。また、素子７８０は、信号の大きさを簡単に特定できる。
【００３２】
上述した各実施形態に様々なバリエーションを加えることが可能である。例えば、ＰＮ６３及びＰＮ５１１用整合フィルタを縦続接続することによって、それらの固有の遅延線構成を利用して、必要とする付加的な遅延線量を低減できる。更に別の実施形態では、１つのＰＮ６３用整合フィルタと各遅延線とを使用する代わりに、３つのＰＮ６３用整合フィルタを使用することも可能である。この場合、ＰＮ５１１用整合フィルタは使用しても使用しなくてもよい。
【００３３】
前述のように、放送信号検出器の精度は、各放送信号についてスペクトルを走査する前に、先ず１つの受信放送信号についてチューナを較正することによって、高められる。従って、ＷＲＡＮシステムの場合、低ＳＮＲ環境でもＡＴＳＣ（ＤＴＶ）信号の存在を高い信頼度で検出することが可能である。図５の受信装置を図４のＣＰＥ２５０について説明したが、本発明はこれに限定されるものではなく、例えば、チャンネル検知を行うことのあるＢＳ２０５の受信装置にも適用できる。更に、図５の受信装置をＷＲＡＮシステムについて説明したが、本発明はこれに限定されるものではなく、チャンネル検知を行う如何なる受信装置にも適用できる。また、上述のＡＴＳＣ信号検出器を前述の較正済みチューナと共に使用することが望ましいが、前述の較正済みチューナを必ずしも使用する必要はない。
【００３４】
従って、上述の各実施形態は、本発明の原理を単に例示するものであり、当業者であれば、ここに明示的に説明されていないが、本発明の原理を具現化し、且つ、本発明の意図と適用の範囲内にあるその他の多数の構成を考案できる筈である。例えば、各機能素子は、個別の機能素子として説明したが、１つ又は複数の集積回路（ＩＣ）で実施してもよい。同様に、各素子は、個別の素子として例示されているが、その一部又は全部を、例えば図６等に示された１つ又は複数のステップに対応するソフトウェアを実行する例えばデジタル信号プロセッサのような記憶プログラム制御プロセッサで実施してもよい。更に、本発明の原理は、その他のタイプの通信システム、例えば、衛星放送、ワイファイ（Ｗｉ−Ｆｉ：Ｗｉｒｅｌｅｓｓ  Ｆｉｄｅｌｉｔｙ）、移動体通信等にも適用できる。実際、本発明の概念は、固定型及び携帯型のどちらのタイプの受信装置にも適用できる。従って、ここに例示した各実施形態に多数の修正を施すことが出来、また、本願の特許請求の範囲で規定した本発明の意図と適用の範囲から逸脱することなくその他の構成を考案できる。
【図面の簡単な説明】
【００３５】
【図１】各テレビジョン（ＴＶ）チャンネルを一覧表示する表１を示す図である。
【図２】受信ＡＴＳＣ信号についての相異なる状況下での周波数オフセットを一覧表示する表２を示す図である。
【図３】受信ＡＴＳＣ信号についての相異なる状況下での周波数オフセットを一覧表示する表３を示す図である。
【図４】本発明の原理に従うＷＲＡＮシステムを例示する図である。
【図５】本発明の原理に従う図４のＷＲＡＮシステムに使用される受信装置を例示する図である。
【図６】図４のＷＲＡＮシステムに使用されるフローチャートを例示する図である。
【図７】図５のチューナ３０５を例示する図である。
【図８】図５の搬送波トラッキング・ループ（ＣＴＬ）３１５を例示する図である。
【図９】ＡＴＳＣ（ＤＴＶ）信号についてのフォーマットを示す図である。
【図１０】ＡＴＳＣ（ＤＴＶ）信号についてのフォーマットを示す図である。
【図１１】本発明の原理に従うＡＴＳＣ信号検出器の一実施形態を例示する図である。
【図１２】本発明の原理に従うＡＴＳＣ信号検出器の別の一実施形態を例示する図である。
【図１３】本発明の原理に従うＡＴＳＣ信号検出器の更に別の一実施形態を例示する図である。
【図１４】本発明の原理に従うＡＴＳＣ信号検出器の更に別の一実施形態を例示する図である。
【図１５】本発明の原理に従うＡＴＳＣ信号検出器の更に別の一実施形態を例示する図である。
【図１６】本発明の原理に従うＡＴＳＣ信号検出器の更に別の一実施形態を例示する図である。
【図１７】本発明の原理に従うＡＴＳＣ信号検出器の更に別の一実施形態を例示する図である。
【図１８】本発明の原理に従うＡＴＳＣ信号検出器の更に別の一実施形態を例示する図である。
【図１９】本発明の原理に従うＡＴＳＣ信号検出器の更に別の一実施形態を例示する図である。
【図２０】本発明の原理に従うＡＴＳＣ信号検出器の更に別の一実施形態を例示する図である。
【図２１】本発明の原理に従うＡＴＳＣ信号検出器の更に別の一実施形態を例示する図である。
【図１】
2009515423.tif 000010
【図２】
2009515423.tif 000011
【図３】
2009515423.tif 000012
【図４】
2009515423.tif 000013
【図５】
2009515423.tif 000014
【図６】
2009515423.tif 000015
【図７】
2009515423.tif 000016
【図８】
2009515423.tif 000017
【図９】
2009515423.tif 000018
【図１０】
2009515423.tif 000019
【図１１】
2009515423.tif 000020
【図１２】
2009515423.tif 000021
【図１３】
2009515423.tif 000022
【図１４】
2009515423.tif 000023
【図１５】
2009515423.tif 000024
【図１６】
2009515423.tif 000025
【図１７】
2009515423.tif 000026
【図１８】
2009515423.tif 000027
【図１９】
2009515423.tif 000028
【図２０】
2009515423.tif 000029
【図２１】
2009515423.tif 000030
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
一定数のチャンネルのうちの１つのチャンネルを介して無線ネットワークと通信を行う送受信装置と、
前記一定数のチャンネルのうちの既存の信号が検出されなかったチャンネルを含む利用可能チャンネル・リストを作成する際に使用される信号検出器と、
を備え、
前記信号検出器には、擬似乱数のシーケンスに整合するように構成されており、前記一定数のチャンネルのうちの１つのチャンネル上の受信信号を濾波して、前記受信信号が既存の信号であるか否かを判定する際に使用される濾波済み信号を供給する整合フィルタが含まれている、前記装置。
【請求項２】
前記擬似乱数のシーケンスが、ＡＴＳＣ信号のＰＮ５１１のシーケンスである、請求項１記載の装置。
【請求項３】
一定時間に亘って前記濾波済み信号を積分して、前記受信信号がＡＴＳＣ信号であるか否かを判定する際に使用される積分済み信号を供給する積分器を更に備えた、請求項２記載の装置。
【請求項４】
前記濾波済み信号のピークを検出するピーク検出器と、
一定時間に亘ってピーク位置を記憶するメモリと、
前記記憶されたピーク位置の割合が変わらない場合に前記受信信号がＡＴＳＣ信号であると判定するプロセッサと、
を更に備えた、請求項２記載の装置。
【請求項５】
前記信号検出器に接続されており、前記一定数のチャンネルのうちのＡＴＳＣ信号が検出されなかったチャンネルを含む利用可能チャンネル・リストを作成し、該利用可能チャンネル・リストを前記無線ネットワークに前記送受信装置を介して送信するプロセッサを更に備えた、請求項２記載の装置。  
【請求項６】
前記整合フィルタには、各々が前記受信信号と前記ＰＮ５１１のシーケンスのそれぞれ異なる部分との相関を取る一定数の相関器が含まれている、請求項２記載の装置。
【請求項７】
前記一定数の相関器のそれぞれの相関器出力信号の大きさを合成して、前記受信信号がＡＴＳＣ信号であるか否かを判定する際に使用される出力信号を供給する合成器を更に備えた、請求項６記載の装置。
【請求項８】
前記信号検出器が、ＡＴＳＣ信号のＰＮ６３のシーケンスを更に使用して前記受信信号がＡＴＳＣ信号であるか否かを判定する、請求項２記載の装置。
【請求項９】
前記無線ネットワークが、地域無線ネットワーク（ＷＲＡＮ）である、請求項１記載の装置。
【請求項１０】
前記信号検出器が、コヒーレントである、請求項１記載の装置。
【請求項１１】
前記信号検出器が、非コヒーレントである、請求項１記載の装置。
【請求項１２】
無線ネットワーク受信装置に使用される方法であって、
一定数のチャンネルのうちの１つのチャンネルに同調して受信信号を再生する再生ステップと、
前記一定数のチャンネルのうちの既存の信号が検出されなかったチャンネルを含む利用可能チャンネル・リストを作成する際に使用される信号検出器で前記受信信号を処理する処理ステップと、
を備え、
前記処理ステップには、擬似乱数のシーケンスに整合するように構成された整合フィルタで前記受信信号を濾波して、前記受信信号が既存の信号であるか否かを判定する際に使用される濾波済み信号を供給する濾波ステップが含まれている、前記方法。
【請求項１３】
前記擬似乱数のシーケンスが、ＡＴＳＣ信号のＰＮ５１１のシーケンスである、請求項１２記載の方法。
【請求項１４】
前記処理ステップには、一定時間に亘って前記濾波済み信号を積分して、前記受信信号がＡＴＳＣ信号であるか否かを判定する際に使用される積分済み信号を供給するステップが更に含まれている、請求項１３記載の方法。
【請求項１５】
前記処理ステップには、
前記濾波済み信号のピークを検出するステップと、
一定時間に亘ってピーク位置を記憶するステップと、
前記記憶されたピーク位置の割合が変わらない場合に前記受信信号がＡＴＳＣ信号であると判定するステップと、
が更に含まれている、請求項１３記載の方法。
【請求項１６】
請求項１３記載の方法であって、前記利用可能チャンネル・リストを送信するステップを更に備えた方法。
【請求項１７】
前記処理ステップには、
前記受信信号と前記ＰＮ５１１のシーケンスのそれぞれ異なる部分との相関を取り、それぞれの相関出力信号を供給するステップと、
前記それぞれの相関出力信号の大きさを合成して、前記受信信号がＡＴＳＣ信号であるか否かを判定する際に使用される出力信号を供給するステップと、
が更に含まれている、請求項１３記載の方法。
【請求項１８】
前記濾波ステップには、ＡＴＳＣ信号のＰＮ６３のシーケンスに整合するように構成されたフィルタで前記受信信号を濾波するステップが更に含まれている、請求項１３記載の方法。
【請求項１９】
前記無線ネットワーク受信装置が、地域無線ネットワーク（ＷＲＡＮ）受信装置である、請求項１２記載の方法。
【国際調査報告】
2009515423.tif 000031
2009515423.tif 000032
2009515423.tif 000033